(57)【要約】【課題】ＣＡ通信において、シグナリングのメッセージサイズの増大を回避しつつ、各種設定の変更を行う。【解決手段】本発明に係る移動通信方法は、無線基地局ｅＮＢが、移動局ＵＥに対して、Ｓｃｅｌｌを追加する際に、Ｓｃｅｌｌの識別情報（ｓｃｅｌｌＩＤ）及びＳｃｅｌｌに係る第１設定情報を送信する工程と、移動局ＵＥは、Ｓｃｅｌｌの識別情報と第１設定情報とを関連付けて記憶する工程と、無線基地局ｅＮＢが、移動局ＵＥに対して、Ｓｃｅｌｌの設定を変更する際に、Ｓｃｅｌｌの識別情報及びＳｃｅｌｌに係る第２設定情報を送信する工程とを有し、第２設定情報は、第１設定情報からの差分情報（ｄｅｌｔａ  ｃｏｎｆｉｇｕｒａｔｉｏｎ）である。【選択図】図７
2012005089.tif 000002
【特許請求の範囲】
【請求項１】
移動局が、主キャリア及び該主キャリアと搬送波周波数が異なる１つ又は複数の副キャリアを用いた通信を行う移動通信方法であって、
無線基地局が、前記移動局に対して、副キャリア内サービングセルを追加する際に、該副キャリア内サービングセルの識別情報及び該副キャリア内サービングセルに係る第１設定情報を送信する工程と、
前記移動局は、前記副キャリア内サービングセルの識別情報と前記第１設定情報とを関連付けて記憶する工程と、
前記無線基地局が、前記移動局に対して、前記副キャリア内サービングセルの設定を変更する際に、該副キャリア内サービングセルの識別情報及び該副キャリア内サービングセルに係る第２設定情報を送信する工程とを有し、
前記第２設定情報は、前記第１設定情報からの差分情報であることを特徴とする移動通信方法。
【請求項２】
前記移動局は、前記第１設定情報と共に送信された前記副キャリア内サービングセルの識別情報を記憶していない場合に、該副キャリア内サービングセルの識別情報と主キャリア内サービングセルに係る設定情報とを関連付けて記憶することを特徴とする請求項１に記載の移動通信方法。
【請求項３】
前記移動局は、前記第１設定情報と共に送信された前記副キャリア内サービングセルの識別情報を記憶していない場合に、該副キャリア内サービングセルの識別情報と該第１設定情報とを関連付けて記憶することを特徴とする請求項１に記載の移動通信方法。
【請求項４】
前記移動局は、前記第２設定情報と共に送信された前記副キャリア内サービングセルの識別情報を記憶している場合に、該第２設定情報に基づいて、該副キャリア内サービングセルの識別情報に関連付けられている前記第１設定情報を更新することを特徴とする請求項１に記載の移動通信方法。
【請求項５】
前記移動局は、前記第２設定情報と共に送信された前記副キャリア内サービングセルの識別情報を記憶している場合に、該副キャリア内サービングセルの識別情報に関連付けられて記憶されている前記第１設定情報を削除し、該副キャリア内サービングセルの識別情報と主キャリア内サービングセルに係る設定情報とを関連付けて記憶することを特徴とする請求項１に記載の移動通信方法。
【請求項６】
移動局が主キャリア及び該主キャリアと搬送波周波数が異なる１つ又は複数の副キャリアを用いた通信を行う移動通信方法で用いられる無線基地局であって、
前記移動局に対して、副キャリア内サービングセルに係る設定情報を送信するように構成されている送信部を具備し、
前記送信部は、前記移動局に対して、前記副キャリア内サービングセルを追加する際に、該副キャリア内サービングセルの識別情報及び該副キャリア内サービングセルに係る第１設定情報を送信するように構成されており、
前記送信部は、前記移動局に対して、前記副キャリア内サービングセルの設定を変更する際に、該副キャリア内サービングセルの識別情報及び該副キャリア内サービングセルに係る第２設定情報を送信するように構成されており、
前記第２設定情報は、前記第１設定情報からの差分情報であることを特徴とする無線基地局。
【請求項７】
主キャリア及び該主キャリアと搬送波周波数が異なる１つ又は複数の副キャリアを用いた通信を行うように構成されている移動局であって、
無線基地局によって送信された副キャリア内サービングセルの識別情報と該副キャリア内サービングセルに係る設定情報とを関連付けて記憶するように構成されている設定部を具備し、
前記設定部は、第１設定情報と共に送信された前記副キャリア内サービングセルの識別情報を記憶していない場合に、該副キャリア内サービングセルの識別情報と主キャリア内サービングセルに係る設定情報とを関連付けて記憶するように構成されており、
前記第１設定情報は、前記副キャリア内サービングセルが追加される際に前記無線基地局によって送信されるように構成されていることを特徴とする移動局。
【請求項８】
主キャリア及び該主キャリアと搬送波周波数が異なる１つ又は複数の副キャリアを用いた通信を行うように構成されている移動局であって、
無線基地局によって送信された副キャリア内サービングセルの識別情報と該副キャリア内サービングセルに係る設定情報とを関連付けて記憶するように構成されている設定部を具備し、
前記設定部は、第１設定情報と共に送信された前記副キャリア内サービングセルの識別情報を記憶していない場合に、該副キャリア内サービングセルの識別情報と該第１設定情報とを関連付けて記憶するように構成されており、
前記第１設定情報は、前記副キャリア内サービングセルが追加される際に前記無線基地局によって送信されるように構成されていることを特徴とする移動局。
【請求項９】
前記設定部は、第２設定情報と共に送信された前記副キャリア内サービングセルの識別情報を記憶している場合に、該第２設定情報に基づいて、該副キャリア内サービングセルの識別情報に関連付けられている前記第１設定情報を更新するように構成されており、
前記第２設定情報は、前記副キャリア内サービングセルの設定が変更される際に前記無線基地局によって送信されるように構成されていることを特徴とする請求項７又は８に記載の移動局。
【請求項１０】
前記設定部は、第２設定情報と共に送信された前記副キャリア内サービングセルの識別情報を記憶している場合に、該副キャリア内サービングセルの識別情報に関連付けられて記憶されている前記第１設定情報を削除し、該副キャリア内サービングセルの識別情報と主キャリア内サービングセルに係る設定情報とを関連付けて記憶するように構成されており、
前記第２設定情報は、前記副キャリア内サービングセルの設定が変更される際に前記無線基地局によって送信されるように構成されていることを特徴とする請求項７又は８に記載の移動局。
【発明の詳細な説明】
【技術分野】
【０００１】
本発明は、移動通信方法、無線基地局及び移動局に関する。
【背景技術】
【０００２】
３ＧＰＰで規定されているＬＴＥ（Ｌｏｎｇ  Ｔｅｒｍ  Ｅｖｏｌｕｔｉｏｎ）-Ｒｅｌｅａｓｅ８/９方式では、各種設定の変更時に、「ｄｅｌｔａ  ｃｏｎｆｉｇｕｒａｔｉｏｎ」を適用することができる。
【０００３】
例えば、図９に示すように、「ＲＲＣＣｏｎｎｅｃｔｉｏｎＲｅｃｏｎｆｉｇｕｒａｔｉｏｎ」を見ると、ハンドオーバ時に用いられる「ｍｏｂｉｌｉｔｙＣｏｎｔｒｏｌＩｎｆｏ」内の「ｒａｄｉｏＲｅｓｏｕｒｃｅＣｏｎｆｉｇＣｏｍｍｏｎ」内のほとんどの情報要素に「ＯＰＴＩＯＮＡＬ，--Ｎｅｅｄ  ＯＮ」が設定されている。
【０００４】
このことは、かかる情報要素が、シグナリング内に含まれなければ、移動局ＵＥは、かかる情報要素に係る制御に関しては何の動作も行わないということを意味する。
【０００５】
すなわち、かかる場合、移動局ＵＥは、現在の設定情報（ｃｏｎｆｉｇｕｒａｔｉｏｎ）を継続して利用することとなる。
【０００６】
したがって、このように、「ｄｅｌｔａ  ｃｏｎｆｉｇｕｒａｔｉｏｎ」を用いることで、現在の設定情報からの差分情報のみをシグナリングすることが可能となり、シグナリングに係るメッセージのサイズを最小化することができる。
【０００７】
また、ＬＴＥ-Ａｄｖａｎｃｅｄ方式の移動通信システムでは、移動局ＵＥが、ＰＣＣ（Ｐｒｉｍａｒｙ  Ｃｏｍｐｏｎｅｎｔ  Ｃａｒｒｉｅｒ）及びＰＣＣと搬送波周波数が異なる１つ又は複数のＳＣＣ（Ｓｅｃｏｎｄａｒｙ  Ｃｏｍｐｏｎｅｎｔ  Ｃａｒｒｉｅｒ）を用いて、ＣＡ（Ｃａｒｒｉｅｒ  Ａｇｇｒｅｇａｔｉｏｎ）通信を行うことができるように構成されている。
【先行技術文献】
【非特許文献】
【０００８】
【非特許文献１】３ＧＰＰ  ＴＳ３６.３００  ｖ９.３.０
【発明の概要】
【発明が解決しようとする課題】
【０００９】
ＬＴＥ-Ａｄｖａｎｃｅｄ方式の移動通信システムでは、ＣＡ通信を行っている移動局ＵＥに対して、ＰＣＣ内サービングセルであるＰｃｅｌｌ及びＳＣＣ内サービングセルであるＳｃｅｌｌを設定することができる。
【００１０】
かかるＣＡ通信では、「ｄｅｐｌｏｙｍｅｎｔ  ｓｃｅｎａｒｉｏ（例えば、３ＧＰＰ  ＴＳ３６.３００  ｖ９.３.０  Ａｎｎｅｘに記載されているｓｃｅｎａｒｉｏ＃３や＃４等）」によっては、Ｐｃｅｌｌの切替頻度やＳｃｅｌｌの追加・削除頻度が高くなるため、シグナリングのメッセージ量が増大してしまうという問題点があった。
【００１１】
そこで、本発明は、上述の課題に鑑みてなされたものであり、ＣＡ通信において、シグナリングのメッセージサイズの増大を回避しつつ、各種設定の変更を行うことができる移動通信方法、無線基地局及び移動局を提供することを目的とする。
【課題を解決するための手段】
【００１２】
本発明の第１の特徴は、移動局が、主キャリア及び該主キャリアと搬送波周波数が異なる１つ又は複数の副キャリアを用いた通信を行う移動通信方法であって、無線基地局が、前記移動局に対して、副キャリア内サービングセルを追加する際に、該副キャリア内サービングセルの識別情報及び該副キャリア内サービングセルに係る第１設定情報を送信する工程と、前記移動局は、前記副キャリア内サービングセルの識別情報と前記第１設定情報とを関連付けて記憶する工程と、前記無線基地局が、前記移動局に対して、前記副キャリア内サービングセルの設定を変更する際に、該副キャリア内サービングセルの識別情報及び該副キャリア内サービングセルに係る第２設定情報を送信する工程とを有し、前記第２設定情報は、前記第１設定情報からの差分情報であることを要旨とする。
【００１３】
本発明の第２の特徴は、移動局が主キャリア及び該主キャリアと搬送波周波数が異なる１つ又は複数の副キャリアを用いた通信を行う移動通信方法で用いられる無線基地局であって、前記移動局に対して、副キャリア内サービングセルに係る設定情報を送信するように構成されている送信部を具備し、前記送信部は、前記移動局に対して、前記副キャリア内サービングセルを追加する際に、該副キャリア内サービングセルの識別情報及び該副キャリア内サービングセルに係る第１設定情報を送信するように構成されており、前記送信部は、前記移動局に対して、前記副キャリア内サービングセルの設定を変更する際に、該副キャリア内サービングセルの識別情報及び該副キャリア内サービングセルに係る第２設定情報を送信するように構成されており、前記第２設定情報は、前記第１設定情報からの差分情報であることを要旨とする。
【００１４】
本発明の第３の特徴は、主キャリア及び該主キャリアと搬送波周波数が異なる１つ又は複数の副キャリアを用いた通信を行うように構成されている移動局であって、無線基地局によって送信された副キャリア内サービングセルの識別情報と該副キャリア内サービングセルに係る設定情報とを関連付けて記憶するように構成されている設定部を具備し、前記設定部は、第１設定情報と共に送信された前記副キャリア内サービングセルの識別情報を記憶していない場合に、該副キャリア内サービングセルの識別情報と主キャリア内サービングセルに係る設定情報とを関連付けて記憶するように構成されており、前記第１設定情報は、前記副キャリア内サービングセルが追加される際に前記無線基地局によって送信されるように構成されていることを要旨とする。
【００１５】
本発明の第４の特徴は、主キャリア及び該主キャリアと搬送波周波数が異なる１つ又は複数の副キャリアを用いた通信を行うように構成されている移動局であって、無線基地局によって送信された副キャリア内サービングセルの識別情報と該副キャリア内サービングセルに係る設定情報とを関連付けて記憶するように構成されている設定部を具備し、前記設定部は、第１設定情報と共に送信された前記副キャリア内サービングセルの識別情報を記憶していない場合に、該副キャリア内サービングセルの識別情報と該第１設定情報とを関連付けて記憶するように構成されており、前記第１設定情報は、前記副キャリア内サービングセルが追加される際に前記無線基地局によって送信されるように構成されていることを要旨とする。
【発明の効果】
【００１６】
以上説明したように、本発明によれば、ＣＡ通信において、シグナリングのメッセージサイズの増大を回避しつつ、各種設定の変更を行うことができる移動通信方法、無線基地局及び移動局を提供することができる。
【図面の簡単な説明】
【００１７】
【図１】本発明の第１の実施形態に係る移動通信システムの全体構成図である。
【図２】本発明の第１の実施形態に係る移動通信システムで用いられるＣＣの一例を示す図である。
【図３】本発明の第１の実施形態に係る無線基地局の機能ブロック図である。
【図４】本発明の第１の実施形態に係る移動局の機能ブロック図である。
【図５】本発明の第１の実施形態に係る移動通信システムの動作を説明するためのシーケンス図である。
【図６】本発明の第１の実施形態に係る移動通信システムで用いられる「ＲＲＣＣｏｎｎｅｃｔｉｏｎＲｅｃｏｎｆｉｇｕｒａｔｉｏｎ」のフォーマットの一例を示す図である。
【図７】本発明の第１の実施形態に係る移動局の動作を説明するためのフローチャートである。
【図８】本発明の第２の実施形態に係る移動局の動作を説明するためのフローチャートである。
【図９】既存のＬＴＥ方式の移動通信システムで用いられる「ＲＲＣＣｏｎｎｅｃｔｉｏｎＲｅｃｏｎｆｉｇｕｒａｔｉｏｎ」のフォーマットの一例を示す図である。
【発明を実施するための形態】
【００１８】
（本発明の第１の実施形態に係る移動通信システム）
図１乃至図５を参照して、本発明の第１の実施形態に係る移動通信システムの構成について説明する。本実施形態に係る移動通信システムは、ＬＴＥ-Ａｄｖａｎｃｅｄ方式（ＬＴＥ  Ｒｅｌｅａｓｅ-１０方式）の移動通信システムである。
【００１９】
本実施形態に係る移動通信システムでは、移動局ＵＥは、ＰＣＣ及びＰＣＣと搬送波周波数（ＥＡＲＦＣＮ：Ｅ-ＵＴＲＡ  Ａｂｓｏｌｕｔｅ  Ｒａｄｉｏ  Ｆｒｅｑｕｅｎｃｙ  Ｃｈａｎｎｅｌ  Ｎｕｍｂｅｒ）が異なる１つ又は複数のＳＣＣを用いたＣＡ通信を行うことができるように構成されている。
【００２０】
図２に示すように、本実施形態に係る移動通信システムでは、ＣＡ通信において、ＥＡＲＦＣＮ＃１乃至ＥＡＲＦＣＮ＃４のＣＣを用いることができるように構成されている。
【００２１】
本実施形態に係る移動通信システムでは、図２に示すように、移動局ＵＥは、ＥＡＲＦＣＮ＃１のＣＣを「ＰＣＣ」とし、ＥＡＲＦＣＮ＃２のＣＣを「ＳＣＣ＃１」とし、ＥＡＲＦＣＮ＃３のＣＣを「ＳＣＣ＃２」として、ＣＡ通信を行っている。
【００２２】
ここで、移動局ＵＥのＰＣＣ内サービングセルを「Ｐｃｅｌｌ」とし、移動局ＵＥのＳＣＣ＃１内サービングセルを「Ｓｃｅｌｌ＃１」とし、移動局ＵＥのＳＣＣ＃２内サービングセルを「Ｓｃｅｌｌ＃２」とする。
【００２３】
図３に示すように、無線基地局ｅＮＢは、管理部１１と、送信部１２とを具備している。
【００２４】
管理部１１は、移動局ＵＥごとに、Ｐｃｅｌｌ及びＳｃｅｌｌを管理するように構成されている。
【００２５】
また、管理部１１は、移動局ＵＥごとに、Ｐｃｅｌｌ及びＳｃｅｌｌの識別情報である「ｓｃｅｌｌＩＤ」を管理するように構成されている。
【００２６】
なお、「ｓｃｅｌｌＩＤ」は、移動局ＵＥごとに管理されるように構成されており、同一のセルに対して、移動局ＵＥごとに異なる「ｓｃｅｌｌＩＤ」が割り当てられていてもよい。
【００２７】
送信部１２は、移動局ＵＥに対して、「ＲＲＣＣｏｎｎｅｃｔｉｏｎＲｅｃｏｎｆｉｇｕｒａｔｉｏｎ」によって、Ｐｃｅｌｌに係る設定情報やＳｃｅｌｌに係る設定情報を送信するように構成されている。
【００２８】
例えば、送信部１２は、移動局ＵＥに対して、Ｓｃｅｌｌ＃１を追加する際に、Ｓｃｅｌｌ＃１の識別情報「ｓｃｅｌｌＩＤ＝＃１」及びＳｃｅｌｌ＃１に係る第１設定情報（ｃｏｎｆｉｇｕｒａｔｉｏｎ）を送信するように構成されている。
【００２９】
また、送信部１２は、移動局ＵＥに対して、Ｓｃｅｌｌ＃２を追加する際に、Ｓｃｅｌｌ＃２の識別情報「ｓｃｅｌｌＩＤ＝＃２」及びＳｃｅｌｌ＃２に係る第１設定情報（ｃｏｎｆｉｇｕｒａｔｉｏｎ）を送信するように構成されている。
【００３０】
送信部１２は、移動局ＵＥに対して、Ｓｃｅｌｌ＃１の設定を変更する際に、Ｓｃｅｌｌ＃１の識別情報「ｓｃｅｌｌＩＤ＝＃１」及びＳｃｅｌｌ＃１に係る第２設定情報（ｃｏｎｆｉｇｕｒａｔｉｏｎ）を送信するように構成されている。
【００３１】
また、送信部１２は、移動局ＵＥに対して、Ｓｃｅｌｌ＃２の設定を変更する際に、Ｓｃｅｌｌ＃２の識別情報「ｓｃｅｌｌＩＤ＝＃２」及びＳｃｅｌｌ＃２に係る第２設定情報（ｃｏｎｆｉｇｕｒａｔｉｏｎ）を送信するように構成されている。
【００３２】
ここで、第２設定情報は、第１設定情報からの差分情報（ｄｅｌｔａ  ｃｏｎｆｉｇｕｒａｔｉｏｎ）であるものとする。
【００３３】
また、送信部１２は、移動局ＵＥに対して、Ｐｃｅｌｌを切り替える際に、新規のＰｃｅｌｌの識別情報「ｓｃｅｌｌＩＤ＝＃０」及び新規のＰｃｅｌｌに係る設定情報（ｃｏｎｆｉｇｕｒａｔｉｏｎ、又は、ｄｅｌｔａ  ｃｏｎｆｉｇｕｒａｔｉｏｎ）を送信するように構成されている。
【００３４】
図４に示すように、移動局ＵＥは、受信部２１と、設定部２２とを具備している。
【００３５】
受信部２１は、無線基地局ｅＮＢによって送信された信号を受信するように構成されている。例えば、受信部２１は、無線基地局ｅＮＢによって送信された「ＲＲＣＣｏｎｎｅｃｔｉｏｎＲｅｃｏｎｆｉｇｕｒａｔｉｏｎ」を受信するように構成されている。
【００３６】
設定部２２は、無線基地局ｅＮＢによって送信されたＳｃｅｌｌの識別情報「ｓｃｅｌｌＩＤ」とＳｃｅｌｌに係る設定情報とを関連付けて記憶するように構成されている。
【００３７】
例えば、設定部２２は、設定情報と共に送信されたＳｃｅｌｌ＃２の識別情報「ｓｃｅｌｌＩＤ＝＃２」を記憶していない場合に、Ｓｃｅｌｌ＃２の識別情報「ｓｃｅｌｌＩＤ＝＃２」とＰｃｅｌｌに係る設定情報（ｃｏｎｆｉｇｕｒａｔｉｏｎ）とを関連付けて記憶するように構成されていてもよい。
【００３８】
或いは、設定部２２は、設定情報と共に送信されたＳｃｅｌｌ＃２の識別情報を記憶していない場合に、Ｓｃｅｌｌ＃２の識別情報「ｓｃｅｌｌＩＤ＝＃２」と当該設定情報（ｃｏｎｆｉｇｕｒａｔｉｏｎ）とを関連付けて記憶するように構成されていてもよい。
【００３９】
また、設定部２２は、設定情報と共に送信されたＳｃｅｌｌ＃１の識別情報「ｓｃｅｌｌＩＤ＝＃１」を記憶している場合に、かかる設定情報（ｄｅｌｔａ  ｃｏｎｆｉｇｕｒａｔｉｏｎ）に基づいて、Ｓｃｅｌｌ＃１の識別情報「ｓｃｅｌｌＩＤ＝＃１」に関連付けられている設定情報（ｃｏｎｆｉｇｕｒａｔｉｏｎ）を更新するように構成されていてもよい。
【００４０】
或いは、設定部２２は、設定情報と共に送信されたＳｃｅｌｌ＃１の識別情報「ｓｃｅｌｌＩＤ＝＃１」を記憶している場合に、Ｓｃｅｌｌ＃１の識別情報「ｓｃｅｌｌＩＤ＝＃１」に関連付けられて記憶されている設定情報（ｃｏｎｆｉｇｕｒａｔｉｏｎ）を削除し、Ｓｃｅｌｌ＃１の識別情報「ｓｃｅｌｌＩＤ＝＃１」とＰｃｅｌｌに係る設定情報（ｃｏｎｆｉｇｕｒａｔｉｏｎ）とを関連付けて記憶するように構成されていてもよい。
【００４１】
図５乃至図７を参照して、本発明の第１の実施形態に係る移動通信システムの動作について説明する。
【００４２】
図５に示すように、無線基地局ｅＮＢが、移動局ＵＥに対して、Ｓｃｅｌｌ＃１を追加する際やＳｃｅｌｌ＃１の設定を変更する際等に、「ＲＲＣＣｏｎｎｅｃｔｉｏｎＲｅｃｏｎｆｉｇｕｒａｔｉｏｎ」によって、Ｓｃｅｌｌ＃１の識別情報「ｓｃｅｌｌＩＤ＝＃１」及びＳｃｅｌｌ＃１に係る設定情報を送信する。
【００４３】
図６に、かかる「ＲＲＣＣｏｎｎｅｃｔｉｏｎＲｅｃｏｎｆｉｇｕｒａｔｉｏｎ」のフォーマットの一例を示す。
【００４４】
ステップＳ１００２において、移動局ＵＥは、図７に示す処理を行う。
【００４５】
図７に示すように、移動局ＵＥは、ステップＳ１０１において、「ＲＲＣＣｏｎｎｅｃｔｉｏｎＲｅｃｏｎｆｉｇｕｒａｔｉｏｎ」を受信すると、ステップＳ１０２において、「ＲＲＣＣｏｎｎｅｃｔｉｏｎＲｅｃｏｎｆｉｇｕｒａｔｉｏｎ」内の情報要素「ＲＲＣＣｏｎｎｅｃｔｉｏｎＲｅｃｏｎｆｉｇｕｒａｔｉｏｎ-ｖ１０ｘ０-ＩＥｓ」内に、情報要素「ＳｃｅｌｌＴｏＲｅｍｏｖｅＬｉｓｔ-ｒ１０」が設定されているか否かについて判定する（図６の（Ａ）参照）。
【００４６】
「Ｙｅｓ」の場合、本動作は、ステップＳ１０３に進み、「Ｎｏ」の場合、本動作は、ステップＳ１０５に進む。
【００４７】
ステップＳ１０３において、移動局ＵＥは、情報要素「ＳｃｅｌｌＴｏＲｅｍｏｖｅＬｉｓｔ-ｒ１０」内に「ＳｃｅｌｌＩｄｅｎｔｉｔｙ-ｒ１０」として設定されている「ｓｃｅｌｌＩＤ」に対応するＳｃｅｌｌを削除する。
【００４８】
ステップＳ１０４において、移動局ＵＥは、情報要素「ＳｃｅｌｌＴｏＲｅｍｏｖｅＬｉｓｔ-ｒ１０」内に設定されている全ての「ＳｃｅｌｌＩｄｅｎｔｉｔｙ-ｒ１０」に対応するＳｃｅｌｌを削除すると、本動作は、ステップＳ１０５に進む。
【００４９】
ステップＳ１０５において、移動局ＵＥは、「ＲＲＣＣｏｎｎｅｃｔｉｏｎＲｅｃｏｎｆｉｇｕｒａｔｉｏｎ」内の情報要素「ＲＲＣＣｏｎｎｅｃｔｉｏｎＲｅｃｏｎｆｉｇｕｒａｔｉｏｎ-ｖ１０ｘ０-ＩＥｓ」内に、情報要素「ＳｃｅｌｌＴｏＡｄｄＭｏｄＬｉｓｔ-ｒ１０」が設定されているか否かについて判定する（図６の（Ｂ）参照）。
【００５０】
「Ｙｅｓ」の場合、本動作は、ステップＳ１０６に進み、「Ｎｏ」の場合、本動作は、終了する。
【００５１】
ステップＳ１０６において、移動局ＵＥは、情報要素「ＳｃｅｌｌＴｏＡｄｄＭｏｄＬｉｓｔ-ｒ１０」内の情報要素「ＳｃｅｌｌＣｏｎｆｉｇ-ｒ１０」内の情報要素「ｓｃｅｌｌＩｄ」内に「ＳｃｅｌｌＩｄｅｎｔｉｔｙ-ｒ１０」として設定されている「ｓｃｅｌｌＩＤ」に対応するＳｃｅｌｌが既に存在するか否かについて判定する。
【００５２】
「Ｙｅｓ」の場合、本動作は、ステップＳ１０９に進み、「Ｎｏ」の場合、本動作は、ステップＳ１０７に進む。
【００５３】
移動局ＵＥは、ステップＳ１０７において、Ｐｃｅｌｌに係る設定情報（ｃｏｎｆｉｇｕｒａｔｉｏｎ）をコピーし、ステップＳ１０８において、かかるＰｃｅｌｌに係る設定情報（ｃｏｎｆｉｇｕｒａｔｉｏｎ）に対して、情報要素「ＳｃｅｌｌＣｏｎｆｉｇ-ｒ１０」内に設定されているＳｃｅｌｌに係る設定情報（ｄｅｌｔａ  ｃｏｎｆｉｇｕｒａｔｉｏｎ）を反映させる（図６の（Ｃ）参照）。
【００５４】
なお、図６（Ｄ）に示すように、情報要素「ＳｃｅｌｌＣｏｎｆｉｇ-ｒ１０」内の情報要素のうち、「Ｃｏｎｄ  Ａｄｄ」と表示されている情報要素は、Ｓｃｅｌｌが追加される際は「Ｍａｎｄａｔｏｒｙ」として取り扱われ、それ以外の場合は「ＯＰＴＩＯＮＡＬ，--Ｎｅｅｄ  ＯＮ」として取り扱われるものとする。
【００５５】
一方、移動局ＵＥは、ステップＳ１０９において、現在のＳｃｅｌｌに係る設定情報を削除し、ステップＳ１１０において、Ｐｃｅｌｌに係る設定情報（ｃｏｎｆｉｇｕｒａｔｉｏｎ）をコピーし、ステップＳ１１１において、移動局ＵＥは、かかるＰｃｅｌｌに係る設定情報（ｃｏｎｆｉｇｕｒａｔｉｏｎ）に対して、情報要素「ＳｃｅｌｌＣｏｎｆｉｇ-ｒ１０」内に設定されているＳｃｅｌｌに係る設定情報（ｄｅｌｔａ  ｃｏｎｆｉｇｕｒａｔｉｏｎ）を反映させる（図６の（Ｃ）参照）。
【００５６】
なお、ステップＳ１０９及びＳ１１０の動作は、省略されてもよい。
【００５７】
ステップＳ１１２において、移動局ＵＥは、情報要素「ＳｃｅｌｌＴｏＡｄｄＭｏｄＬｉｓｔ-ｒ１０」内の情報要素「ＳｃｅｌｌＣｏｎｆｉｇ-ｒ１０」内の情報要素「ｓｃｅｌｌＩｄ」に設定されている全ての「ＳｃｅｌｌＩｄｅｎｔｉｔｙ-ｒ１０」に対応するＳｃｅｌｌに対する処理を行うと、本動作は、終了する。
【００５８】
本実施形態に係る移動通信システムによれば、各移動局のＰｃｅｌｌ及びＳｃｅｌｌに対して「ｓｃｅｌｌＩＤ＝＃１」を割り当て、かかる「ｓｃｅｌｌＩＤ＝＃１」を用いて「ｄｅｌｔａ  ｃｏｎｆｉｇｕｒａｔｉｏｎ」を適用することができるため、ＣＡ通信において、ＲＲＣシグナリングのメッセージサイズの増大を回避しつつ、各移動局のＳｃｅｌｌの設定を変更することができる。
【００５９】
（本発明の第２の実施形態に係る移動通信システム）
以下、図５、図６及び図８を参照して、本発明の第２の実施形態に係る移動通信システムについて、上述の第１の実施形態に係る移動通信システムとの相違点に着目して説明する。
【００６０】
図５、図６及び図８を参照して、本発明の第２の実施形態に係る移動通信システムの動作について説明する。
【００６１】
図５に示すように、無線基地局ｅＮＢが、移動局ＵＥに対して、Ｓｃｅｌｌ＃１を追加する際やＳｃｅｌｌ＃１の設定を変更する際等に、「ＲＲＣＣｏｎｎｅｃｔｉｏｎＲｅｃｏｎｆｉｇｕｒａｔｉｏｎ」によって、Ｓｃｅｌｌ＃１の識別情報「ｓｃｅｌｌＩＤ＝＃１」及びＳｃｅｌｌ＃１に係る設定情報を送信する。
【００６２】
図６に、かかる「ＲＲＣＣｏｎｎｅｃｔｉｏｎＲｅｃｏｎｆｉｇｕｒａｔｉｏｎ」のフォーマットの一例を示す。
【００６３】
ステップＳ１００２において、移動局ＵＥは、図８に示す処理を行う。
【００６４】
図８に示すように、ステップＳ２０１乃至Ｓ２０５の動作は、図７に示すステップＳ１０１乃至Ｓ１０５の動作と同一である。
【００６５】
ステップＳ２０６において、移動局ＵＥは、情報要素「ＳｃｅｌｌＴｏＡｄｄＭｏｄＬｉｓｔ-ｒ１０」内の情報要素「ＳｃｅｌｌＣｏｎｆｉｇ-ｒ１０」内の情報要素「ｓｃｅｌｌＩｄ」内に「ＳｃｅｌｌＩｄｅｎｔｉｔｙ-ｒ１０」として設定されている「ｓｃｅｌｌＩＤ」に対応するＳｃｅｌｌが既に存在するか否かについて判定する。
【００６６】
「Ｙｅｓ」の場合、本動作は、ステップＳ２１０に進み、「Ｎｏ」の場合、本動作は、ステップＳ２０７に進む。
【００６７】
ステップＳ２０７において、移動局ＵＥは、情報要素「ＳｃｅｌｌＣｏｎｆｉｇ-ｒ１０」内の情報要素「ｂａｓｅＳｃｅｌｌＩｄ」内に設定されているＰｃｅｌｌ又はＳｃｅｌｌが既に存在するか否かについて判定する。
【００６８】
「Ｙｅｓ」の場合、本動作は、ステップＳ２０８に進み、「Ｎｏ」の場合、本動作は、ステップＳ２０９に進む。
【００６９】
移動局ＵＥは、ステップＳ２０８において、情報要素「ｂａｓｅＳｃｅｌｌＩｄ」内に設定されているＰｃｅｌｌ又はＳｃｅｌｌに係る設定情報（ｃｏｎｆｉｇｕｒａｔｉｏｎ）をコピーし、ステップＳ２０９において、かかるＰｃｅｌｌ又はＳｃｅｌｌに係る設定情報（ｃｏｎｆｉｇｕｒａｔｉｏｎ）に対して、情報要素「ＳｃｅｌｌＣｏｎｆｉｇ-ｒ１０」内に設定されているＰｃｅｌｌ又はＳｃｅｌｌに係る設定情報（ｄｅｌｔａ  ｃｏｎｆｉｇｕｒａｔｉｏｎ）を反映させる（図６の（Ｃ）参照）。
【００７０】
一方、ステップＳ２１０において、移動局ＵＥは、「ＳｃｅｌｌＩｄｅｎｔｉｔｙ-ｒ１０」として設定されている「ｓｃｅｌｌＩＤ」に対応せず、かつ、情報要素「ＳｃｅｌｌＣｏｎｆｉｇ-ｒ１０」内の情報要素「ｂａｓｅＳｃｅｌｌＩｄ」内に設定されているＰｃｅｌｌ又はＳｃｅｌｌが既に存在するか否かについて判定する。
【００７１】
「Ｙｅｓ」の場合、本動作は、ステップＳ２１１に進み、「Ｎｏ」の場合、本動作は、ステップＳ２１３に進む。
【００７２】
移動局ＵＥは、ステップＳ２１１において、現在のＰｃｅｌｌ又はＳｃｅｌｌに係る設定情報を削除し、ステップＳ２１２において、情報要素「ｂａｓｅＳｃｅｌｌＩｄ」内に設定されているＰｃｅｌｌ又はＳｃｅｌｌに係る設定情報（ｃｏｎｆｉｇｕｒａｔｉｏｎ）をコピーし、ステップＳ２１３において、移動局ＵＥは、かかるＰｃｅｌｌ又はＳｃｅｌｌに係る設定情報（ｃｏｎｆｉｇｕｒａｔｉｏｎ）に対して、情報要素「ＳｃｅｌｌＣｏｎｆｉｇ-ｒ１０」内に設定されているＳｃｅｌｌに係る設定情報（ｄｅｌｔａ  ｃｏｎｆｉｇｕｒａｔｉｏｎ）を反映させる（図６の（Ｃ）参照）。
【００７３】
なお、ステップＳ２１０乃至Ｓ２１２の動作は、省略されてもよい。
【００７４】
ステップＳ２１４において、移動局ＵＥは、情報要素「ＳｃｅｌｌＴｏＡｄｄＭｏｄＬｉｓｔ-ｒ１０」内の情報要素「ＳｃｅｌｌＣｏｎｆｉｇ-ｒ１０」内の情報要素「ｓｃｅｌｌＩｄ」に設定されている全ての「ＳｃｅｌｌＩｄｅｎｔｉｔｙ-ｒ１０」に対応するＳｃｅｌｌに対する処理を行うと、本動作は、終了する。
【００７５】
なお、Ｓｃｅｌｌに対してのみ、図８の動作が適用されるように構成されていてもよい。かかる場合、Ｐｃｅｌｌに対しては、必ず現在のＰｃｅｌｌに係る設定情報に対する「ｄｅｌｔａ  ｃｏｎｆｉｇｕｒａｔｉｏｎ」が適用されるものとしてもよい。
【００７６】
かかる場合であっても、情報要素「ｂａｓｅＳｃｅｌｌＩｄ」内で、Ｐｃｅｌｌを指定してもよい。例えば、「ｓｃｅｌｌＩｄ」は、「１」〜「４」のレンジを持ち、「ｂａｓｅＳｃｅｌｌＩｄ」は、「０」〜「５」のレンジを持つこととし、「ｂａｓｅＳｃｅｌｌＩｄ＝０」は、Ｐｃｅｌｌを指定することとしてもよい。
【００７７】
以上に述べた本実施形態の特徴は、以下のように表現されていてもよい。
【００７８】
本実施形態の第１の特徴は、移動局ＵＥが、ＰＣＣ（主キャリア）及びＰＣＣと搬送波周波数が異なる１つ又は複数のＳＣＣ（副キャリア）を用いたＣＡ通信を行う移動通信方法であって、無線基地局ｅＮＢが、移動局ＵＥに対して、Ｓｃｅｌｌ（副キャリア内サービングセル）を追加する際に、Ｓｃｅｌｌの識別情報（ｓｃｅｌｌＩＤ）及びＳｃｅｌｌに係る第１設定情報を送信する工程と、移動局ＵＥは、Ｓｃｅｌｌの識別情報と第１設定情報とを関連付けて記憶する工程と、無線基地局ｅＮＢが、移動局ＵＥに対して、Ｓｃｅｌｌの設定を変更する際に、Ｓｃｅｌｌの識別情報及びＳｃｅｌｌに係る第２設定情報を送信する工程とを有し、第２設定情報は、第１設定情報からの差分情報（ｄｅｌｔａ  ｃｏｎｆｉｇｕｒａｔｉｏｎ）であることを要旨とする。
【００７９】
本実施形態の第１の特徴において、移動局ＵＥは、第１設定情報と共に送信されたＳｃｅｌｌの識別情報を記憶していない場合に、Ｓｃｅｌｌの識別情報とＰｃｅｌｌ（主キャリア内サービングセル）に係る設定情報とを関連付けて記憶してもよい。
【００８０】
本実施形態の第１の特徴において、移動局ＵＥは、第１設定情報と共に送信されたＳｃｅｌｌの識別情報を記憶していない場合に、Ｓｃｅｌｌの識別情報と第１設定情報とを関連付けて記憶してもよい。
【００８１】
本実施形態の第１の特徴において、移動局ＵＥは、第２設定情報と共に送信されたＳｃｅｌｌの識別情報を記憶している場合に、第２設定情報に基づいて、Ｓｃｅｌｌの識別情報に関連付けられている第１設定情報を更新してもよい。
【００８２】
本実施形態の第１の特徴において、移動局ＵＥは、第２設定情報と共に送信されたＳｃｅｌｌの識別情報を記憶している場合に、Ｓｃｅｌｌの識別情報に関連付けられて記憶されている第１設定情報を削除し、Ｓｃｅｌｌの識別情報とＰｃｅｌｌに係る設定情報とを関連付けて記憶してもよい。
【００８３】
本実施形態の第２の特徴は、移動局ＵＥがＣＡ通信を行う移動通信方法で用いられる無線基地局ｅＮＢであって、移動局ＵＥに対して、Ｓｃｅｌｌに係る設定情報を送信するように構成されている送信部１２を具備し、送信部１２は、移動局ＵＥに対して、Ｓｃｅｌｌを追加する際に、Ｓｃｅｌｌの識別情報及びＳｃｅｌｌに係る第１設定情報を送信するように構成されており、送信部１２は、移動局ＵＥに対して、Ｓｃｅｌｌの設定を変更する際に、Ｓｃｅｌｌの識別情報及びＳｃｅｌｌに係る第２設定情報を送信するように構成されており、第２設定情報は、第１設定情報からの差分情報（ｄｅｌｔａ  ｃｏｎｆｉｇｕｒａｔｉｏｎ）であることを要旨とする。
【００８４】
本実施形態の第３の特徴は、ＣＡ通信を行うように構成されている移動局ＵＥであって、無線基地局ｅＮＢによって送信されたＳｃｅｌｌの識別情報とＳｃｅｌｌに係る設定情報とを関連付けて記憶するように構成されている設定部２２を具備し、設定部２２は、第１設定情報と共に送信されたＳｃｅｌｌの識別情報を記憶していない場合に、Ｓｃｅｌｌの識別情報とＰｃｅｌｌに係る設定情報とを関連付けて記憶するように構成されており、第１設定情報は、Ｓｃｅｌｌが追加される際に無線基地局ｅＮＢによって送信されるように構成されていることを要旨とする。
【００８５】
本実施形態の第４の特徴は、ＣＡ通信を行うように構成されている移動局ＵＥであって、無線基地局ｅＮＢによって送信されたＳｃｅｌｌの識別情報とＳｃｅｌｌに係る設定情報とを関連付けて記憶するように構成されている設定部２２を具備し、設定部２２は、第１設定情報と共に送信されたＳｃｅｌｌの識別情報を記憶していない場合に、Ｓｃｅｌｌの識別情報と第１設定情報とを関連付けて記憶するように構成されており、第１設定情報は、Ｓｃｅｌｌが追加される際に無線基地局ｅＮＢによって送信されるように構成されていることを要旨とする。
【００８６】
本実施形態の第３又は第４の特徴において、設定部２２は、第２設定情報と共に送信されたＳｃｅｌｌの識別情報を記憶している場合に、第２設定情報に基づいて、Ｓｃｅｌｌの識別情報に関連付けられている第１設定情報を更新するように構成されており、第２設定情報は、Ｓｃｅｌｌの設定が変更される際に無線基地局ｅＮＢによって送信されるように構成されていてもよい。
【００８７】
本実施形態の第３又は第４の特徴において、設定部２２は、第２設定情報と共に送信されたＳｃｅｌｌの識別情報を記憶している場合に、Ｓｃｅｌｌの識別情報に関連付けられて記憶されている第１設定情報を削除し、Ｓｃｅｌｌの識別情報とＰｃｅｌｌに係る設定情報とを関連付けて記憶するように構成されており、第２設定情報は、Ｓｃｅｌｌの設定が変更される際に無線基地局ｅＮＢによって送信されるように構成されていてもよい。
【００８８】
なお、上述の移動局ＵＥ及び無線基地局ｅＮＢの動作は、ハードウェアによって実施されてもよいし、プロセッサによって実行されるソフトウェアモジュールによって実施されてもよいし、両者の組み合わせによって実施されてもよい。
【００８９】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００９０】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥ及び無線基地局ｅＮＢ内に設けられていてもよい。また、かかる記憶媒体及びプロセッサは、ディスクリートコンポーネントとして移動局ＵＥ及び無線基地局ｅＮＢ内に設けられていてもよい。
【００９１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００９２】
ｅＮＢ…無線基地局
ＵＥ…移動局
１１…管理部
１２…送信部
２１…受信部
２２…設定部
【図１】
2012005089.tif 000003
【図２】
2012005089.tif 000004
【図３】
2012005089.tif 000005
【図４】
2012005089.tif 000006
【図５】
2012005089.tif 000007
【図６】
2012005089.tif 000008
【図７】
2012005089.tif 000009
【図８】
2012005089.tif 000010
【図９】
2012005089.tif 000011
【手続補正書】
【提出日】平成23年5月23日(2011.5.23)
【手続補正１】
【補正対象書類名】特許請求の範囲
【補正対象項目名】全文
【補正方法】変更
【補正の内容】
【特許請求の範囲】
【請求項１】
移動局が、主キャリア及び該主キャリアと搬送波周波数が異なる１つ又は複数の副キャリアを用いた通信を行う移動通信方法であって、
無線基地局が、前記移動局に対して、副キャリア内サービングセルを追加する際に、該副キャリア内サービングセルの識別情報及び該副キャリア内サービングセルに係る第１設定情報を送信する工程と、
前記移動局は、前記副キャリア内サービングセルの識別情報と前記第１設定情報とを関連付けて記憶する工程と、
前記無線基地局が、前記移動局に対して、前記副キャリア内サービングセルの設定を変更する際に、該副キャリア内サービングセルの識別情報及び該副キャリア内サービングセルに係る第２設定情報を送信する工程とを有し、
前記第２設定情報は、前記第１設定情報からの差分情報であることを特徴とする移動通信方法。
【請求項２】
前記移動局は、前記第１設定情報と共に送信された前記副キャリア内サービングセルの識別情報を記憶していない場合に、該副キャリア内サービングセルの識別情報と該第１設定情報とを関連付けて記憶することを特徴とする請求項１に記載の移動通信方法。
【請求項３】
前記移動局は、前記第２設定情報と共に送信された前記副キャリア内サービングセルの識別情報を記憶している場合に、該第２設定情報に基づいて、該副キャリア内サービングセルの識別情報に関連付けられている前記第１設定情報を更新することを特徴とする請求項１に記載の移動通信方法。
【請求項４】
移動局が主キャリア及び該主キャリアと搬送波周波数が異なる１つ又は複数の副キャリアを用いた通信を行う移動通信方法で用いられる無線基地局であって、
前記移動局に対して、副キャリア内サービングセルに係る設定情報を送信するように構成されている送信部を具備し、
前記送信部は、前記移動局に対して、前記副キャリア内サービングセルを追加する際に、該副キャリア内サービングセルの識別情報及び該副キャリア内サービングセルに係る第１設定情報を送信するように構成されており、
前記送信部は、前記移動局に対して、前記副キャリア内サービングセルの設定を変更する際に、該副キャリア内サービングセルの識別情報及び該副キャリア内サービングセルに係る第２設定情報を送信するように構成されており、
前記第２設定情報は、前記第１設定情報からの差分情報であることを特徴とする無線基地局。
【請求項５】
主キャリア及び該主キャリアと搬送波周波数が異なる１つ又は複数の副キャリアを用いた通信を行うように構成されている移動局であって、
無線基地局によって送信された副キャリア内サービングセルの識別情報と該副キャリア内サービングセルに係る設定情報とを関連付けて記憶するように構成されている設定部を具備し、
前記設定部は、第１設定情報と共に送信された前記副キャリア内サービングセルの識別情報を記憶していない場合に、該副キャリア内サービングセルの識別情報と該第１設定情報とを関連付けて記憶するように構成されており、
前記第１設定情報は、前記副キャリア内サービングセルが追加される際に前記無線基地局によって送信されるように構成されていることを特徴とする移動局。
【請求項６】
前記設定部は、第２設定情報と共に送信された前記副キャリア内サービングセルの識別情報を記憶している場合に、該第２設定情報に基づいて、該副キャリア内サービングセルの識別情報に関連付けられている前記第１設定情報を更新するように構成されており、
前記第２設定情報は、前記副キャリア内サービングセルの設定が変更される際に前記無線基地局によって送信されるように構成されていることを特徴とする請求項５に記載の移動局。